(57)【要約】【課題】  ナースコール子機からの呼び出しを受けて関連する患者情報をナースコール親機のモニタにポップアップ表示させる場合に、同時に表示している病棟レイアウト内の呼出操作した患者の位置が隠れないようにポップアップ表示する看護支援システムを提供する。【解決手段】  ナースコール親機は、モニタに表示する簡易病棟レイアウト図Ｎ２上でのナースコール子機の座標を記憶する子機座標記憶部を備え、ナースコール子機から呼び出しを受てポップアップ表示する患者情報ウィンドウＭ３と、表示する簡易病棟レイアウト図Ｎ２とをモニタ上の異なる領域に実施し、子機座標記憶部の情報を基に、呼出操作されたナースコール子機の病棟レイアウト図Ｎ２上での位置を特定し、特定した位置Ｐａをモニタ上で点滅等報知動作させる。【選択図】  図４
2010051545.tif 000002
【特許請求の範囲】
【請求項１】
患者が看護師を呼び出すためのナースコール子機と、前記ナースコール子機からの呼び出しを看護師に知らせるための廊下灯と、前記ナースコール子機からの呼び出しに応答するためのナースコール親機と、前記廊下灯、前記ナースコール親機を制御する制御機とを有し、前記ナースコール親機には、病棟レイアウト及び患者情報を表示するモニタと、前記ナースコール子機から呼び出しが成されたら呼出操作されたナースコール子機に関連する患者情報を前記モニタにポップアップ表示させる表示制御部とが備えられた看護支援システムにおいて、
前記ナースコール親機が、前記病棟レイアウト上でのナースコール子機の座標を記憶する子機座標記憶部を備え、
前記表示制御部は、前記ナースコール子機から呼び出しを受けたら、関連する患者情報のポップアップ表示と病棟レイアウト表示とを前記モニタ上の異なる領域に実施し、更に前記子機座標記憶部の情報を基に、呼出操作されたナースコール子機の前記病棟レイアウト上での位置を特定し、特定した位置を前記モニタ上で点滅等報知動作させることを特徴とする看護支援システム。
【請求項２】
訪問者が居住者を呼び出すための集合玄関機と、前記集合玄関機からの呼び出しに応答するための居室親機と、前記集合玄関機及び前記居室親機からの呼び出しに応答するための管理室親機と、居住者が緊急呼出をするために各住戸に設置された呼出ボタン装置とを備え、前記管理室親機には、集合住宅の各フロアレイアウト及び居住者情報を表示するモニタと、前記呼出ボタン装置から呼び出しが成されたら、呼出操作された前記呼出ボタン装置に関連する居住者情報を前記モニタにポップアップ表示させる表示制御部とが備えられた看護支援システムにおいて、
前記管理室親機が、前記フロアレイアウト上での前記呼出ボタン装置の座標を記憶する呼出ボタン装置座標記憶部を備え、
前記表示制御部は、前記呼出ボタン装置から呼び出しを受けたら、関連する居住者情報のポップアップ表示とフロアレイアウト表示とを前記モニタ上の異なる領域に実施し、更に前記呼出ボタン装置座標記憶部の情報を基に、呼出操作された呼出ボタン装置の前記フロアレイアウト上での位置を特定し、特定した位置を前記モニタ上で点滅等報知動作させることを特徴とする看護支援システム。
【請求項３】
患者情報或いは居住者情報のポップアップ表示に合わせて、前記表示制御部が実施する病棟レイアウト或いはフロアレイアウトの表示は、病室レイアウト或いは住戸レイアウトを表示し、患者氏名等の患者情報或いは居住者氏名等の居住者情報を表示しない簡易レイアウト表示であることを特徴とする請求項１又は２記載の看護支援システム。
【請求項４】
前記表示制御部は、前記ナースコール子機或いは呼出ボタン装置からの呼び出しが連続して発生した場合は、複数の患者情報或いは居住者情報を重ならない位置に順次ポップアップ表示することを特徴とする請求項１乃至３の何れかに記載の看護支援システム。
【請求項５】
前記表示制御部は、２番目以降のポップアップ表示を最初のポップアップ表示より小さく表示することを特徴とする請求項４記載の看護支援システム。
【請求項６】
前記表示制御部は、前記病棟レイアウト或いは前記フロアレイアウトの表示を、ポップアップ表示する患者情報或いは居住者情報の数に反比例させて拡大／縮小することを特徴とする請求項１乃至５の何れかに記載の看護支援システム。
【発明の詳細な説明】
【技術分野】
【０００１】
本発明は病院に設置されるナースコールシステムや高齢者向け集合住宅に設置される集合住宅インターホンシステム等のインターホン機能を備えた看護支援システムに関し、特にナースコール子機等により患者から呼び出しが成された時に、ナースコール親機等の監視側のモニタに表示されている病棟やフロアのレイアウト画面上に呼出元の情報をポップアップ表示する看護支援システムに関する。
【背景技術】
【０００２】
ナースコールシステムでは、病室のベッド毎に看護師を呼び出すためのナースコール子機を設置し、ナースステーションに患者からの呼び出しに応答するためのナースコール親機を設置している。そして、ナースコール親機には患者情報を表示するためのモニタが設置されたものがあり、この場合、待受時には患者の場所や患者情報を把握し易くするために病棟レイアウトがモニタに表示される。例えば、特許文献１では、待受時の病棟レイアウト上に患者氏名等の患者情報の一部を表示し、患者からの呼び出しがなされたら、その患者の詳しい情報をポップアップ表示する構成となっている。
一方で、高齢者向け集合住宅インターホンシステムがある。これは、集合住宅の各住戸に緊急呼出ボタン（呼出ボタン装置）、水量センサ等の生活異変センサ等を設置し、居住者に異常が生じた場合に、管理室親機に通報が成され、速やかな対処が可能となっている（例えば、特許文献２）。
【０００３】
【特許文献１】特開平１０−１４６３６６号公報（図３Ｃ）
【特許文献２】特開２００３−１３４２４３号公報
【発明の開示】
【発明が解決しようとする課題】
【０００４】
しかしながら、上記特許文献１に示す従来のナースコールシステムは、ナースコール子機から呼び出しがあると、表示されていた病棟レイアウト画面を覆うように患者情報がポップアップ表示されるので、ポップアップにより呼び出しがあった患者の場所を把握出来なくなる場合があった。そのため、せっかくの病棟レイアウトを表示するよう構成してもそれを十分生かすことができなかった。
また、この技術を適用した集合住宅インターホンシステムの場合も同様であり、呼出ボタン装置から呼び出しがあると、表示されていたフロアレイアウト画面を覆うように居住者情報がポップアップ表示されるので、ポップアップ表示することで呼び出しがあった居住者の位置を把握出来なくなっていた。そのため、せっかくフロアレイアウトを表示するよう構成してもそれを十分生かすことができなかった。
【０００５】
そこで、本発明はこのような問題点に鑑み、病室に設置されたナースコール子機、或いは居室に設置された呼出ボタン装置からの呼び出しを受けて、関連する患者情報或いは居住者情報をナースコール親機や管理室親機のモニタにポップアップ表示させる場合に、呼出操作した患者或いは居住者の位置が隠れないようにポップアップ表示させる看護支援システムを提供することを目的とする。
【課題を解決するための手段】
【０００６】
上記課題を解決する為に、請求項１の発明は、患者が看護師を呼び出すためのナースコール子機と、ナースコール子機からの呼び出しを看護師に知らせるための廊下灯と、ナースコール子機からの呼び出しに応答するためのナースコール親機と、廊下灯、ナースコール親機を制御する制御機とを有し、ナースコール親機には、病棟レイアウト及び患者情報を表示するモニタと、ナースコール子機から呼び出しが成されたら呼出操作されたナースコール子機に関連する患者情報をモニタにポップアップ表示させる表示制御部とが備えられた看護支援システムにおいて、ナースコール親機が、病棟レイアウト上でのナースコール子機の座標を記憶する子機座標記憶部を備え、表示制御部は、ナースコール子機から呼び出しを受けたら、関連する患者情報のポップアップ表示と病棟レイアウト表示とをモニタ上の異なる領域に実施し、更に子機座標記憶部の情報を基に、呼出操作されたナースコール子機の病棟レイアウト上での位置を特定し、特定した位置をモニタ上で点滅等報知動作させることを特徴とする。
この構成によれば、呼出操作した患者の患者情報がポップアップ表示されるので、看護師は患者情報を把握し易いし、病棟レイアウトはポップアップ表示とは別エリアで表示され、且つ呼出操作した患者の場所が病棟レイアウト上で報知動作するので、場所も把握し易い。よって、呼び出しに応答した看護師はスムーズに応対することができる。
【０００７】
請求項２の発明は、訪問者が居住者を呼び出すための集合玄関機と、集合玄関機からの呼び出しに応答するための居室親機と、集合玄関機及び居室親機からの呼び出しに応答するための管理室親機と、居住者が緊急呼出をするために各住戸に設置された呼出ボタン装置とを備え、管理室親機には、集合住宅の各フロアレイアウト及び居住者情報を表示するモニタと、呼出ボタン装置から呼び出しが成されたら、呼出操作された呼出ボタン装置に関連する居住者情報をモニタにポップアップ表示させる表示制御部とが備えられた看護支援システムにおいて、管理室親機が、フロアレイアウト上での呼出ボタン装置の座標を記憶する呼出ボタン装置座標記憶部を備え、表示制御部は、呼出ボタン装置から呼び出しを受けたら、関連する居住者情報のポップアップ表示とフロアレイアウト表示とをモニタ上の異なる領域に実施し、更に呼出ボタン装置座標記憶部の情報を基に、呼出操作された呼出ボタン装置のフロアレイアウト上での位置を特定し、特定した位置をモニタ上で点滅等報知動作させることを特徴とする。
この構成によれば、呼出操作した居住者の情報がポップアップ表示されるので、管理人等は居住者情報を把握し易いし、フロアレイアウトはポップアップ表示とは別エリアで表示され、且つ呼出操作した居住者の場所がフロアレイアウト上で報知動作するので、場所も把握し易い。よって、呼び出しに応答した管理人等はスムーズに応対することができる。
【０００８】
請求項３の発明は、請求項１又は２に記載の発明において、患者情報或いは居住者情報のポップアップ表示に合わせて、表示制御部が実施する病棟レイアウト或いはフロアレイアウトの表示は、病室レイアウト或いは住戸レイアウトを表示し、患者氏名等の患者情報或いは居住者氏名等の居住者情報を表示しない簡易レイアウト表示であることを特徴とする。
この構成によれば、ナースコールシステムにおいては、表示される病棟レイアウトが小さくても、応答する看護師は、病棟レイアウト上の病室配置を認識でき、病棟レイアウト上でのナースコール子機位置報知動作により、呼出操作した患者の場所を確実に把握できる。また、集合住宅インターホンシステムにおいては、表示されるフロアレイアウトが小さくても、応答する管理人等は、フロアレイアウト上での住戸配置を認識でき、フロアレイアウト上での呼出ボタン装置位置報知動作により、呼出操作した居住者の場所を確実に把握できる。
【０００９】
請求項４の発明は、請求項１乃至３の何れかに記載の発明において、表示制御部は、ナースコール子機或いは呼出ボタン装置からの呼び出しが連続して発生した場合は、複数の患者情報或いは居住者情報を重ならない位置に順次ポップアップ表示することを特徴とする。
この構成によれば、ナースコールシステムにおいては、同時に複数の患者から呼び出しが成されても、それら全ての患者情報を容易に認識でき、対処し易い。また、集合住宅インターホンシステムにおいては、同時に複数の居住者からの呼出が成されても、それら全ての居住者情報を容易に認識でき、対処し易い。
【００１０】
請求項５の発明は、請求項４に記載の発明において、表示制御部は、２番目以降のポップアップ表示を最初のポップアップ表示より小さく表示することを特徴とするとする。
この構成によれば、ナースコールシステムにおいては、最初に応答すべき患者の患者情報が２番目以降に表示された患者情報に比べて大きく表示されるため、応答する患者を間違えることがないし、２番目以降は小さく表示されるので、モニタの出画領域を有効に使用できる。また、集合住宅インターホンシステムにおいては、最初に応答すべき居住者の情報が２番目以降に表示された居住者情報に比べて大きく表示されるため、応答する居住者を間違えることがないし、２番目以降は小さく表示されるので、モニタの出画領域を有効に使用できる。
【００１１】
請求項６の発明は、請求項１乃至５の何れかに記載の発明において、表示制御部は、病棟レイアウト或いはフロアレイアウトの表示を、ポップアップ表示する患者情報或いは居住者情報の数に反比例させて拡大／縮小することを特徴とする。
この構成によれば、ナースコールシステムにおいては、表示される病棟レイアウトの大きさを、ポップアップ表示された患者情報数に応じて変化させ、常に患者情報の表示に重ならない最大領域で行うことができる。その結果、モニタの出画領域を有効に利用できる。
また、集合住宅インターホンシステムにおいては、表示されるフロアレイアウトの大きさを、ポップアップ表示された居住者情報数に応じて変化させ、常に居住者情報の表示に重ならない最大領域で行うことができる。その結果、モニタの出画領域を有効に利用できる。
【発明の効果】
【００１２】
本発明によれば、ナースコールシステムに適用した場合は、呼出操作した患者の患者情報がポップアップ表示されるので、看護師は患者情報を把握し易いし、病棟レイアウトはポップアップ表示とは別エリアで表示され、且つ呼出操作した患者の場所が病棟レイアウト上で報知動作するので、場所も把握し易い。よって、呼び出しに応答した看護師はスムーズに応対することができる。
また、集合住宅インターホンシステムに適用した場合は、呼出操作した居住者の情報がポップアップ表示されるので、管理人等は居住者情報を把握し易いし、フロアレイアウトはポップアップ表示とは別エリアで表示され、且つ呼出操作した居住者の場所がフロアレイアウト上で報知動作するので、場所も把握し易い。よって、呼び出しに応答した管理人等はスムーズに応対することができる。
【発明を実施するための最良の形態】
【００１３】
以下、本発明を具体化した実施の形態を、図面を参照して詳細に説明する。図１は、本発明に係る看護支援システムをナースコールシステムに適用した一例を示す構成図であり、１は患者が看護師を呼び出すための呼出ボタン１ａを備えたナースコール子機、２はナースコール子機１が接続されてナースコール子機１からの呼び出しを看護師に知らせるための廊下灯、３はナースコール子機１からの呼び出しに応答するためのナースコール親機、４は廊下灯２、及びナースコール親機３を制御する制御機、５は看護師が携行して患者からの呼び出しに応答するための携帯親機、６は携帯親機５と無線通信するための基地局、７は携帯親機５との通信を制御するＰＢＸ、８は患者情報が蓄積されたオーダリングである。
【００１４】
図２はナースコール親機３の構成を示すブロック図であり、患者情報や病棟レイアウト等を表示するモニタ１１、各種操作を行うためのタッチパネル１２、モニタ１１に表示される病棟レイアウト画像や患者情報、更には病棟レイアウト上で個々のナースコール子機１の座標情報等を記憶したメモリ１３、モニタ１１に表示する映像を処理する映像処理部１５、マイク１８ａ及びスピーカ１８ｂが接続された通話部１８、ナースコール親機３全体を制御する親機ＣＰＵ１９、制御機４やオーダリング８と通信するためのインターフェース（ＩＦ）２０等を備えている。
【００１５】
尚、親機ＣＰＵ１９は、病棟レイアウトをモニタ１１に表示制御すると共に、ナースコール子機１から呼び出しが成されたら、呼出操作されたナースコール子機１に関連する患者情報をモニタ１１にポップアップ表示させる表示制御も行っている。
【００１６】
このように構成されたナースコールシステムは、次のように動作する。但し、ナースコール子機１からの呼び出しに対してナースコール親機３又は携帯親機５で応答して通話する動作、またナースコール子機１からの呼び出し時に廊下灯２で報知がなされる動作等は、従来と同様であるので説明を省略し、ここではナースコール親機３のモニタ１１の表示の変化について説明する。
図３はモニタ１１に表示される画面の説明図であり、（ａ）は待受時にモニタ１１に表示される画面図、（ｂ）はポップアップ表示される患者情報を示している。患者からの呼び出しのない待受時は、ナースコール親機３のモニタ１１にはこの図３（ａ）に示す画像が表示され、病棟レイアウト表示部Ｍ１と各種表示操作をするためのメニュー表示部Ｍ２とで構成された画面が表示されている。そして、患者から呼び出しが成されたら、（ｂ）に示すレイアウトの患者情報ウィンドウＭ３がモニタ１１にポップアップ表示され、病棟レイアウト表示部Ｍ１全体を使用して表示されている病棟レイアウト図は、後述する図４のＮ２に示すように縮小表示に変更される。
【００１７】
病棟レイアウト表示部Ｍ１全体に表示される標準サイズの病棟レイアウト図Ｎ１は、病室番号Ａや病室内の各ベッドＢの配置（ナースコール子機１の配置）に加えて、ベッドＢのマーク内に患者氏名や看護情報等の患者情報が表示されている（図示せず）が、縮小された病棟レイアウト図は病室レイアウトのみ表示し、病室番号や患者氏名等を消去した簡易レイアウト図となっている。そして、メモリ１３には、標準サイズで表示するための標準レイアウトと、縮小表示させる際にしようする簡易レイアウトの２種類の病棟レイアウト図が記憶されている。
【００１８】
尚、患者情報ウィンドウＭ３は、病棟レイアウト表示部Ｍ１の略８分の１の大きさ（幅は約２分の１、高さは約４分の１）で形成され、一度に４人分の患者情報を待受画面時の病棟レイアウト表示部Ｍ１内に縦に並べて表示可能となっている。この大きさで患者情報を表示すると、患者情報も見やすいし、病棟レイアウトも確認し易い。
また、呼び出しのない図３（ａ）の表示状態は、ナースコール親機３から（看護師から）ナースコール子機１を呼び出す（患者を呼び出す）操作を行うことが可能となっているし、モニタ１１に設けたタッチパネルによりメニュー表示部Ｍ２等をタッチ操作することで、各種操作を行うことができる。また、個々の患者の詳細な患者情報も容易に確認できるよう構成されている。
【００１９】
患者からの呼び出しを受けたモニタ１１の表示の具体的な変化は以下のようである。例えば１０９番病室の子機番号１番のナースコール子機１（以下、１０９−１番子機とする）から呼び出しがあったとすると、ナースコール親機３の親機ＣＰＵ１９は、メモリ１３から対応する患者情報を入手し、モニタ１１に１０９−１番子機に関連する患者情報ウィンドウＭ３を所定位置にポップアップ表示させる。同時に、病棟レイアウト表示部Ｍ１に標準サイズで表示していた病棟レイアウト図Ｎ１を、患者情報ウインドウＭ３に重ならないように所定の部位に縮小表示させる。
【００２０】
更に、親機ＣＰＵ１９は、メモリ１３から病棟レイアウトの中の１０９−１番子機の表示位置情報を取得し、この情報に基づいて病棟レイアウト内の１０９−１番子機の位置を点滅動作、或いはオレンジ色等周囲と異なる色に変化させて報知動作させる。
【００２１】
図４は、この状態のモニタ１１の表示を示している。１０９−１番子機に関連する患者情報ウィンドウＭ３ａは、病棟レイアウト表示部Ｍ１の左上に表示され、標準サイズで表示していた病棟レイアウト図Ｎ１は、簡易病棟レイアウト図Ｎ２へ変更され、患者情報ウインドウＭ３ａに重ならない右下に移動し、患者情報ウィンドウＭ３ａに重ならない最大限の大きさで表示されている。そして、表示された簡易病棟レイアウト図Ｎ２の中で、位置が特定された１０９−１番子機の位置Ｐａが丸印で報知され、ここではポップアップ表示された患者情報ウインドウＭ３ａと同一色で周囲と異なる色で表示している。
【００２２】
この呼出状態において、引き続き例えば１０３号病室の子機番号２番のインターホン子機１（以下、１０３−２番子機とする）から呼び出しが成されたら、親機ＣＰＵ１９は同様にこのナースコール子機１に関連する患者情報をポップアップ表示する。このとき、病棟レイアウト図は新たにポップアップ表示された患者ウインドウＭ３に重ならないように、所定の右下位置に更に縮小表示される。
そして、親機ＣＰＵ１９は、メモリ１３から病棟レイアウト上の１０３−２番子機の位置情報を取得し、この情報に基づいて表示されている病棟レイアウト図内の１０３−２番子機の位置を点滅動作、或いはオレンジ色等周囲と異なる色に変化させて報知動作させる。
【００２３】
図５は、この呼出状態のモニタ１１の表示状態、即ち２人の患者から連続して呼び出しがなされた状態を示している。最初に呼び出しをした１０９−１番子機に関連する患者情報を表示する患者情報ウィンドウＭ３ａは、引き続き表示を継続し、２番目に呼出操作した１０３−２番子機に関連する患者情報ウィンドウＭ３ｂが、１０９−１番子機に関連する患者情報ウィンドウＭ３ａの下部に近接して、縮小した大きさでポップアップ表示されている。
そして、ポップアップ表示された簡易病棟レイアウト図Ｎ２は、２つめの患者情報ウインドウの表示に伴って更に縮小表示され、患者情報ウインドウＭ３ａ，Ｍ３ｂに重ならない最大の大きさで右下の位置に表示されている。
【００２４】
また、表示された簡易病棟レイアウト図Ｎ２上で、１０９−１番子機の位置Ｐａを示す報知動作と同様に、位置が特定された１０３−２番子機の位置Ｐｂが丸印で報知され、ここではポップアップ表示された患者情報ウインドウＭ３ｂと同一色で周囲と異なる色で表示している。但し、この場合、最初にポップアップ表示した患者情報ウインドウＭ３ａとは異なる色となっている。
【００２５】
更に、図６は上記二人からの呼び出しに引き続き、例えば１１３号病室の子機番号１番のインターホン子機１（以下、１１３−１番子機とする）から３人目の呼び出しが成された場合のモニタ表示を示している。この図６に示すように、１１３−１番子機に関連する患者情報ウィンドウＭ３ｃは、先に表示されている患者情報ウィンドウＭ３ａ，Ｍ３ｂに連続して下に並べてポップアップ表示される。また、簡易病棟レイアウト図Ｎ２は更に小さく表示され、上記同様に対応するナースコール子機１の位置が丸印で表示される。この３番目にポップアップ表示される患者情報ウィンドウＭ３ｃは、２番目にポップアップ表示した患者情報ウィンドウＭ３ｂと同一の大きさで且つ同一色で表示される。
【００２６】
このようなナースコール子機１からの呼び出しを受けてナースコール親機３から看護師が応答操作すると、親機ＣＰＵ１９により、先ず一番上に表示されている１０９−１番子機と通話路が形成され、通話が可能となる。その後、通話が終了して通話路が遮断されると、通話した患者のポップアップ表示は消え、その下に表示されていた２番目、３番目に呼出操作されたナースコール子機１である１０３−２番子機、１１３−２番子機に関連する患者情報ウィンドウＭ３ｂ、Ｍ３ｃが上方に移動して表示され、応答対象となる１０３−２番子機に対応する患者情報ウィンドウＭ３ｂは標準サイズに拡大されて表示される。
この状態で応答操作すると、１０３−２番子機と通話路が形成される。更に、この通話が終了したら、３番目に呼び出し操作された１１３−２番子機に対し応答操作がなされ、応答が終了すると全ての患者情報ウィンドウは消え、簡易病棟レイアウト図Ｎ２は標準状態の病棟レイアウト図Ｎ１に復帰する。
【００２７】
このように、呼出操作した患者の患者情報がポップアップ表示されるので、看護師は患者情報を把握し易いし、病棟レイアウトはポップアップ表示とは別エリアで表示され、且つ呼出操作した患者の場所が病棟レイアウト上で報知動作するので、場所も把握し易い。そのため、呼び出しに応答した看護師はスムーズに応対することができる。
また、患者情報がポップアップ表示されて病棟レイアウトの表示が縮小しても、応答する看護師は、病棟レイアウト上で病室を認識でき、ナースコール子機位置報知動作により呼出操作した患者の場所を確実に把握できる。そして、ナースコール子機からの呼び出しが連続して発生しても、複数の患者情報を異なる位置に重ならないようにポップアップ表示するので、それら全ての患者情報を容易に認識でき、対処し易い。
【００２８】
更に、最初に応答すべき患者の患者情報が他の患者情報に比べて大きく表示されるので、応答している患者を間違えることがないし、２番目以降は小さく表示されるので、モニタの出画領域を有効に使用できる。
また、表示する病棟レイアウトの大きさをポップアップ表示された患者情報数に応じて変化させ、常に患者情報の表示に重ならない最大領域で行うことができるので、モニタの出画領域を有効に利用できる。
【００２９】
尚、上記ナースコールシステムでは、複数のナースコール子機１が連続して呼出操作された場合、最初に呼出操作した患者の患者情報ウィンドウＭ３を最上位に大きく表示させて応答対象であることを認識し易くしたが、全ての患者情報ウィンドウＭ３の大きさを同一サイズとしても良い。図７は、その状態のモニタ画面を示し、モニタ１１の最上部に表示されている患者に対して最初に通話路が形成されるよう構成とすることで、このように表示しても応答する看護師が混乱することがない。
また、ナースコール子機１に優先度が設定されている場合は、呼出順に患者情報ウィンドウＭ３をモニタ１１に表示するのでなく、優先度の高い順に上部から表示させて優先度順に応答するよう構成すれば良い。このような制御により、優先度の高い患者から自動的に応答でき、看護師は優先度を意識することなく優先度の高い患者から順に応答することができ、看護師の負担を軽減できる。
【００３０】
また、上記実施形態では、応答対象の患者情報ウィンドウＭ３のみ標準サイズとし、他を縮小表示としたが、２番目或いは３番目の呼び出しまで標準サイズとし、それ以降を縮小サイズとしても良い。更に、簡易病棟レイアウト図Ｎ２の表示の最小値を設定し、夫れより小さい表示は行わないよう構成しても良い。図８はこのような表示状態を示し、簡易病棟レイアウト図Ｎ２が設定した最小サイズになったら、その後の呼び出しを受けた患者情報ウィンドウの表示は、病棟レイアウト表示部Ｍ１の空きスペースに最小サイズで実施した状態を示している。
【００３１】
図９は、本発明に係る看護支援システムを集合住宅インターホンシステムに適用した一例を示す構成図であり、３１は訪問者が居住者を呼び出すための集合玄関機、３２は集合玄関機３１からの呼び出しに応答するための居室親機、３３は集合玄関機３１及び居室親機３２からの呼び出しに応答するための管理室親機、３４は集合玄関機、居室親機等の各機器間の通信を制御する制御機、３５は個々の住戸玄関に設置された住戸玄関機、３６は居住者が管理人と通話するための天井スピーカ、３７は居住者が管理人と通話するための天井マイク、３８は緊急呼出を行うための呼出ボタン装置、３９は水量使用状況等から生活異変を感知する生活異変センサ、４０は居住者の移動を検知する人感センサ、４１は呼出ボタン装置３８が接続されると共に住戸内の各機器を制御する住戸アダプタである。
【００３２】
上記実施形態のナースコールシステムと対比すると、管理室親機３３がナースコール親機３に、住戸アダプタ４１が廊下灯２に、呼出ボタン装置３８がナースコール子機１にそれぞれ対応している。そして、管理室親機３３は、通話装置３３ａ、集合住宅の各フロアレイアウト及び居住者情報を表示するモニタ３３ｂ等を有し、内部構成は、上記図２或いは図６に示すナースコール親機３のブロック図と同様の構成となっている。そのため詳しい説明は省略し、以下図２の符号を用いて動作を簡単に説明する。
【００３３】
但し、集合玄関機３１或いは住戸玄関機３５からの呼び出しに対して居室親機３２から応答して通話する動作等は、従来の集合住宅インターホンシステムと同様であるので説明を省略し、ここでは管理室親機３３のモニタ３３ｂでの表示について上記ナースコールシステムの説明図を用いて説明する。
【００３４】
居住者から呼出ボタン装置３８による呼び出しがない待受時には、上記図３（ａ）のＭ１に示すようなフロアレイアウト表示部とメニュー表示部Ｍ２から成るレイアウト画面がモニタ３３ｂに表示され、呼び出しがなされたら図３（ｂ）のＭ３に示すような居住者情報ウインドウがポップアップ表示される。但し、フロアレイアウトの表示は、複数階から成る場合は各階のフロアレイアウトが同時に或いは選択されたフロアのみが表示される。
そして、居住者情報がポップアップ表示される場合、管理室親機３３（の親機ＣＰＵ１９）の制御により、フロアレイアウトの表示は縮小レイアウト表示に変更されて表示され、上記図４に示すようにポップアップ表示された居住者情報とフロアレイアウト表示が重ならないように表示される。
【００３５】
また、呼び出しを受けて、該当する居住者の居る場所が、上記ナースコールシステムの動作と同様に、例えば丸印で点滅或いは周囲と異なる色に変化させて報知動作する。そして、上記図５，図６に示すように、二人目以降のポップアップ表示を最初の表示に比べて縮小して互いに重ならないように表示し、合わせて表示するフロアレイアウトの大きさをポップアップ表示された居住者情報に応じて変化させ、常に居住者情報の表示に重ならない最大領域での表示を実施する。この表示動作により、モニタの出画領域を有効に利用できる。
【００３６】
このように、呼出操作した居住者の情報がポップアップ表示されるので、管理人等は居住者情報を把握し易いし、フロアレイアウトはポップアップ表示とは別エリアで縮小表示され、且つ呼出操作した患者の場所がフロアレイアウト上で報知動作するので、場所も把握し易い。そのため、呼び出しに応答した管理人等はスムーズに応対することができる。
また、居住者情報がポップアップ表示されてフロアレイアウトの表示が縮小しても、応答する管理人等は、フロアレイアウト上で住戸を認識できるし、呼出ボタン装置位置報知動作により呼出操作した居住者の場所を確実に把握できる。
そして、呼出ボタン装置からの呼び出しが連続して発生しても、複数の居住者情報を異なる位置に重ならないようにポップアップ表示するので、それら全ての居住者情報を容易に認識でき、対処し易い。
更に、最初に応答すべき居住者の情報が他の居住者情報に比べて大きく表示されるので、応答している居住者を間違えることがないし、２番目以降は小さく表示されるので、モニタの出画領域を有効に使用できる。
【００３７】
尚、この集合住宅インターホンシステムでは、居室親機３２に接続された生活異変センサ３９が動作した場合や、住戸アダプタ４１に接続された人体検知センサ４０が居住者の動きを検知しなくなった場合も、住戸アダプタ４１を介して異常発生信号が管理室親機３３に送信される。そして、この場合も同様に、管理室親機３３のモニタ３３ｂでは、関連する居住者情報がポップアップ表示されると共に、フロアレイアウト表示が縮小表示に変更され、関連する居住者の位置が丸印等で点滅等報知動作する。
また、呼出ボタン装置に優先度が設定されている場合は、上記ナースコールシステムのように優先度が高い順に表示して優先度順に応答するよう制御すると良い。
【図面の簡単な説明】
【００３８】
【図１】本発明に係るナースコールシステムの実施形態の一例を示す構成図である。
【図２】図１のナースコール親機のブロック図である。
【図３】モニタ表示説明図であり、（ａ）は待受時の表示、（ｂ）は患者から呼び出しが成された時にポップアップ表示される患者情報のウインドウを示している。
【図４】一人の患者情報がポップアップ表示されたモニタ画面図である。
【図５】二人の患者情報がポップアップ表示されたモニタ画面図である。
【図６】三人の患者情報がポップアップ表示されたモニタ画面図である。
【図７】三人の患者情報がポップアップ表示された他の例を示すモニタ画面図である。
【図８】三人の患者情報がポップアップ表示された他の例を示すモニタ画面図である。
【図９】本発明に係る看護支援システムの１つである集合住宅インターホンシステムの構成図である。
【符号の説明】
【００３９】
１・・ナースコール子機、３・・ナースコール親機、１１・・モニタ、１３・・メモリ（子機座標記憶部、呼出ボタン装置座標記憶部）、１９・・親機ＣＰＵ（表示制御部）、３２・・居室親機、３３・・管理室親機、３８・・呼出ボタン装置、Ｎ１・・病棟レイアウト図，フロアレイアウト図、Ｎ２・・簡易病棟レイアウト図，簡易フロアレイアウト図、Ｍ３・・患者情報ウィンドウ、Ｐａ，Ｐｂ，Ｐｃ・・ナースコール子機の位置。
【図１】
2010051545.tif 000003
【図２】
2010051545.tif 000004
【図３】
2010051545.tif 000005
【図４】
2010051545.tif 000006
【図５】
2010051545.tif 000007
【図６】
2010051545.tif 000008
【図７】
2010051545.tif 000009
【図８】
2010051545.tif 000010
【図９】
2010051545.tif 000011